(57)【要約】【課題】  着火直後から燃え切りまでの全期間にわたり多量の燻煙と十分な熱気を肌の治療部位に供給して、効率よく灸治療をおこなうことのできる温灸具が求められている。【解決手段】  温灸具１は、台座２に上下に貫通する第１通孔４を設け、第１通孔４の上側開口４Ａを覆うように台座２上面の窪み部２Ａにモグサ体３を取着したものであって、モグサ体３に上下貫通して台座２の第１通孔４と連通する第２通孔８を設けたものである。モグサ体３は、摘み取ったヨモギの葉を乾燥させ揉み解して得た綿状のモグサ３Ａを薄紙７で巻いて円柱状に整形してある。また、モグサ体として、綿状ないし粉粒状のモグサと糊剤とを混練して得た成型体を用いることもある。【選択図】      図２
2005237443.tif 000002
【特許請求の範囲】
【請求項１】
台座に上下に貫通する第１通孔を設け、第１通孔の上側開口を覆うように台座の上面にモグサ体を取着した温灸具において、モグサ体に当該モグサ体を上下貫通して台座の第１通孔と連通する第２通孔を設けたことを特徴とする温灸具。
【請求項２】
モグサ体が、綿状ないし粉粒状のモグサと糊剤とを混練して成型された成型体である請求項１に記載の温灸具。
【発明の詳細な説明】
【技術分野】
【０００１】
本発明は、患部の灸治療に用いる温灸具に関するものである。
【背景技術】
【０００２】
モグサを患部の肌にのせて火を着け、その熱気によって患部を治療する灸治療が古来より行なわれている。そして、肌に極端な熱さを感じさせないようにした温灸具が下記の特許文献１に開示されている。図６に文献開示の温灸具５１を示す。この温灸具５１は、綿状のモグサ５３Ａを薄紙７で巻いて円柱状に整形したモグサ体５３を、厚紙等で形成される台座２の上面に接着剤で取り着けたものである。一般にモグサ５３Ａは通気性があり熱伝導性が低いことが知られている。
【０００３】
温灸具５１を用いて灸治療をおこなう際には、図７に示すように、まず離型紙６を剥がし台座２の下面の粘着剤層５を肌Ｓの治療部位Ｓｔに貼り付ける。この状態でモグサ体５３の上部に火を着けると、燃焼部分Ｊで生じた燻煙Ｇの一部がモグサ５３Ａ内を通って台座２の第１通孔４に流入し肌Ｓの治療部位Ｓｔに作用する。また、燃焼部分Ｊからの熱気もモグサ５３Ａ内および第１通孔４を通って治療部位Ｓｔに伝わる。かかる燻煙Ｇと熱気の複合作用により、治療部位Ｓｔに灸治療が施される。
【特許文献１】特開平７−１３６２３３号公報（明細書の段落番号００１２、図１）
【発明の開示】
【発明が解決しようとする課題】
【０００４】
ところで、モグサ５３Ａは伝熱性が低いことから、着火直後は燃焼部分Ｊからの熱気が治療部位Ｓｔまで十分に伝わらず、或る程度燃えたのち（例えば、燃焼部分Ｊが２点鎖線Ｋで示す位置あたりに達したとき）でなければ、灸治療に必要な熱気が得られなかった。そのため、灸治療に必要な熱気を着火直後から燃焼完了までの全期間にわたって供給することができず、灸治療の効率が芳しくなかった。
他方で、モグサを糊剤で固めることにより薄紙などを使用することなく迅速、簡便に製作できるようにしたモグサ体が提案されている。ところが、かかるモグサ体は熱気が伝わりにくいのは無論のこと、通気性も著しく劣る。従って、燃焼部分で生じた燻煙はモグサ体内をほとんど通過せず治療部位Ｓｔに達しない。
【０００５】
本発明は、上記した従来の問題点に鑑みてなされたものであり、着火直後から燃え切りまでの全期間にわたり多量の燻煙と十分な熱気を肌の治療部位に供給して、効率よく灸治療をおこなうことのできる温灸具の提供を目的とする。
【課題を解決するための手段】
【０００６】
上記目的を達成するために、本発明に係る温灸具は、台座に上下に貫通する第１通孔を設け、第１通孔の上側開口を覆うように台座の上面にモグサ体を取着した温灸具において、モグサ体に当該モグサ体を上下貫通して台座の第１通孔と連通する第２通孔を設けた構成にしてある。
【０００７】
また、前記構成におけるモグサ体として、綿状ないし粉粒状のモグサと糊剤とを混練して成型された成型体を用いたものである。
【発明の効果】
【０００８】
本発明に係る温灸具によれば、モグサ体に当該モグサ体を上下貫通して台座の第１通孔と連通する第２通孔が設けられているので、燃焼部分で生じた燻煙の一部は第２通孔を通って第１通孔内に至り、肌の治療部位に作用する。同時に、第２通孔の上縁部の燃焼部分からの熱線が第２通孔および第１通孔を通って治療部位に照射される。これら燻煙と熱線の複合作用により、肌の治療部位に対し集中して効率よく灸治療をおこなうことができる。
【０００９】
また、モグサと糊剤とを混練して成る成型体のモグサ体を用いる場合は、糊剤で固めたことによりモグサ体内を流通する燻煙の通気性が著しく低下するが、第２通孔を備えていることにより燻煙の通気低下が改善される。これにより、薄紙などを使用することなくモグサ体を迅速、簡便に製作できるという元来の効果を有用に利用することができる。
【発明を実施するための最良の形態】
【００１０】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る温灸具の外観図、図２は前記温灸具の縦断面図である。但し、図６および図７に示した従来の温灸具と同一の構成要素には、同一の符号を付すとともにその詳細な説明を省略することがある。
各図において、この実施形態に係る温灸具１は、厚紙などの板材で厚さ２〜４ｍｍ程度に形成された台座２と、台座２の上面に取り着けられたモグサ体３とを備えている。
【００１１】
台座２はその平面中央部に上下に貫通する第１通孔４が穿設されている。台座２の下面には粘着剤を塗布して成る粘着剤層５が設けられ、粘着剤層５の下面にこれを覆う離型紙６が剥離可能に貼り付けられている。この離型紙６の一端には指で摘んで離型紙６を粘着剤層５から剥がすための舌片６Ａが設けられている。モグサ体３は、摘み取ったヨモギの葉を乾燥させ揉み解して得た綿状のモグサ３Ａを薄紙７で巻いて円柱状に整形したものであり、第１通孔４の上側開口４Ａを覆うように台座２上面の窪み部２Ａに装着され接着剤で固着されている。このモグサ体３には、モグサ３Ａを上下貫通する第２通孔８が形成されている。第２通孔８の上側開口は外部と連通し、下側開口は台座２の第１通孔４の上側開口４Ａと連通している。
【００１２】
モグサ体３において第２通孔８を形成する態様は特に限定されない。例えば、芯棒（図示省略）の周りにモグサ３Ａを巻き更にその外側を薄紙７で巻いたのちに芯棒を抜き取ることにより、その抜き取り跡を第２通孔８として用いることができる。あるいは、モグサを薄紙７で巻いて円柱状に整形したモグサ体５３（図６参照）に、針棒（図示省略）を上下に挿通して抜き取ることにより、第２通孔８を形成してもよい。
【００１３】
上記構成の温灸具１を用いて灸治療をする際には、図３に示すように、まず離型紙６を剥がし粘着剤層５を肌Ｓの治療部位Ｓｔに貼り付ける。そして、モグサ体３の上部に火を着けると、その燃焼部分Ｊから燻煙Ｇが生じる。そのうち、一部の燻煙Ｇは第２通孔８を通って第１通孔４内に至り、肌Ｓの治療部位Ｓｔに作用する。同時に、第２通孔８の上縁部の燃焼部分Ｊｅで生じた熱線Ｈ（図中の１点鎖線）が第２通孔８および第１通孔４を通って治療部位Ｓｔに届く。これら燻煙Ｇと熱線Ｈの複合作用により、肌Ｓの治療部位Ｓｔに対し集中して効率よく灸治療をおこなうことができる。この場合、第２通孔８は比較的小さな内径（約１ｍｍ）に形成されているため、治療部位Ｓｔに照射される熱線量は過度に多くならず、治療部位Ｓｔに火傷を生じさせたり極端な熱さを感じさせたりすることがない。従って、モグサ体３の着火直後から燃え切るまでの間中、灸治療に必要な熱さと十分な量の燻煙Ｇを長時間にわたって治療部位Ｓｔに供給することができる。
【００１４】
尚、上記の実施形態では、綿状のモグサ３Ａを薄紙７で巻いて円柱状に整形したモグサ体３を例示したが、本発明のモグサ体はそれに限定されるものでない。例えば、綿状のモグサ、または綿状のモグサを粉砕機で粉砕した粉粒状のモグサと、糊剤とを十分に混練して成型することにより、任意の形状のモグサ成型体が得られる。
例えば、図４に示すように、円柱形の成型体としてモグサ体３ａを成型し、これを台座２ａの上面２Ｂに取り着けた温灸具１ａが挙げられる。この場合、モグサ体３ａは既述のモグサ体３と比べて剛性が高いので、窪み部２Ａ（図２参照）のない平たんな台座２ａの上面２Ｂであっても接着剤で固着され得る。
この温灸具１ａは、糊剤で固められて通気性が著しく低くなったモグサ体３ａを用いているにも拘わらず、燃焼部分Ｊからの十分な量の燻煙Ｇを第２通孔８を通して治療部位Ｓｔへ送ることができる。
あるいは、図５に示す温灸具１ｂのように、円錐形の成型体としてモグサ体３ｂを成型し、これを台座２ａの上面２Ｂに接着剤で固着したものも本発明に含まれる。
【００１５】
前記したモグサ体３ａ，３ｂにおいてモグサのバインダーとなる糊剤としては、モグサ体３ａ，３ｂの燃焼を大きく妨げることがなく、かつ、不快な燃焼臭を発生しないものであれば特に限定されないが、例えばデンプン糊などを用いることができる。このときのモグサと糊剤との混合比率も必要に応じ適宜に設定してよいが、上記の実施形態では例えばモグサに対して２〜５重量％の糊剤を用いてある。
【図面の簡単な説明】
【００１６】
【図１】本発明の一実施形態に係る温灸具の外観図である。
【図２】前記温灸具の縦断面図である。
【図３】前記温灸具の使用状態を縦断面で示す説明図である。
【図４】本発明の別の実施形態に係る温灸具の縦断面図である。
【図５】本発明の更に別の実施形態に係る温灸具の縦断面図である。
【図６】従来の温灸具の縦断面図である。
【図７】従来の温灸具の使用状態を縦断面で示す説明図である。
【符号の説明】
【００１７】
１，１ａ，１ｂ  温灸具
２，２ａ  台座
２Ａ  窪み部
２Ｂ  上面
３，３ａ，３ｂ  モグサ体
３Ａ  モグサ
４    第１通孔
４Ａ  上側開口
８    第２通孔
【図１】
2005237443.tif 000003
【図２】
2005237443.tif 000004
【図３】
2005237443.tif 000005
【図４】
2005237443.tif 000006
【図５】
2005237443.tif 000007
【図６】
2005237443.tif 000008
【図７】
2005237443.tif 000009